(57)【特許請求の範囲】
【請求項１】
油タンク（１）の上部に熱源となるバーナ（２）を配置し、該バーナ（２）の燃焼開口（２ａ）の上方にのぞませた被加熱物（Ｂ）を載置するための五徳（３）を備えたコンロにおいて、
前記五徳（３）は線材で構成する複数本の支柱（４）と、該支柱（４）の上端に設けた線材で構成する載置部（５）と、前記支柱（４）と交差して複数本の支柱（４）を連結する複数のリング状の連結部材（６）とで構成し、
前記油タンク（１）の側面には外径を大きくする鍔部（１ａ）を形成し、
前記連結部材（６）の最下部に位置する連結部材（６ａ）の外径を前記鍔部（１ａ）の外径と一致もしくは僅かに小さく設定し、
前記五徳（３）は前記コンロ本体（Ａ）の上方から装着され、前記支柱（４）の下部が前記鍔部（１ａ）と接触して外側に広がりながら前記鍔部（１ａ）の外周縁に嵌合すると共に、最下部の連結部材（６ａ）が前記鍔部（１ａ）の上面に載架し、前記支柱（４）の下部が鍔部（１ａ）の外周縁に押し付けられて密着してコンロ本体（Ａ）に固定され、
かつ、前記支柱（４）は前記バーナ（２）より上方まで延ばされて前記載置部（５）が前記バーナ（２）の燃焼開口（２ａ）の上方に配置されると共に、前記支柱（４）と前記連結部材（６）とが前記バーナ（２）の外方を囲むように配置されて保護ガードを兼用することを特徴とするコンロ用五徳の構造。
【請求項２】
前記五徳（３）は２本の支柱（４）の上端に接続する略Ｕ字状の線材で構成した連接部材（５ａ）を設け、該連接部材（５ａ）は前記支柱（４）から中心に向かって放射状に配置すると共に、支柱（４）側が高く中心側が低くなるように傾斜して前記載置部（５）を構成することを特徴とする請求項１に記載したコンロ用五徳の構造。
【請求項３】
前記支柱（４）は前記油タンク（１）の鍔部（１ａ）よりも高い位置で折り曲げられて、上部が下部よりも前記五徳（３）の中心側に位置する段部（４ａ）を形成し、
前記五徳（３）をコンロ本体（Ａ）に装着したとき、前記段部（４ａ）が油タンク（１）の上面に接触することを特徴とする請求項１または２に記載したコンロ用五徳の構造。
【請求項４】
前記支柱（４）は前記油タンク（１）の鍔部（１ａ）よりも低い位置で前記五徳（３）の中心側へ突出する係止突部（４ｂ）を形成し、
前記五徳（３）をコンロ本体（Ａ）へ装着したとき、前記係止突部（４ｂ）と最下部の連結部材（６ａ）との間に前記油タンク（１）の鍔部（１ａ）が係合することを特徴とする請求項３に記載したコンロ用五徳の構造。
【請求項５】
前記支柱（４）の下端が床面に接触していることを特徴とする請求項３または４に記載したコンロ用五徳の構造。
【発明の詳細な説明】
【技術分野】
【０００１】
この発明は煮炊き調理ができるコンロ用の五徳の構造に関するものである。
【背景技術】
【０００２】
一般的なコンロは、底板を兼ねた置台の上に円筒状の枠体を設置し、この枠体内に油タンクとバーナを備えたコンロ本体を収納し、枠体の上部に天板を載架している。この天板の中央にはバーナから発生する高温ガスを排出する燃焼開口を備え、天板の上部には燃焼開口に届くように五徳を取付け、鍋等の被加熱物を五徳の上に載置して簡単な煮炊き調理に使用するものである（特許文献１）。
【特許文献１】特開２００２−１３７４６号  公報
【発明の概要】
【発明が解決しようとする課題】
【０００３】
近年、海外で生産された低価格の商品が多く出回るようになってきており、商品の価格競争が激しくなってきている。この傾向はコンロのような市場においても同様であり、低価格化商品に対応するためには、構造や使用する材料の大幅な見直し等の対応が必要になってきている。
【課題を解決するための手段】
【０００４】
この発明は上記の課題を解決するもので、油タンク１の上部に熱源となるバーナ２を配置し、該バーナ２の燃焼開口２ａの上方にのぞませた被加熱物Ｂを載置するための五徳３を備えたコンロにおいて、前記五徳３は線材で構成する複数本の支柱４と、該支柱４の上端に設けた線材で構成する載置部５と、前記支柱４と交差して複数本の支柱４を連結する複数のリング状の連結部材６とで構成し、前記油タンク１の側面には外径を大きくする鍔部１ａを形成し、前記連結部材６の最下部に位置する連結部材６ａの外径を前記鍔部１ａの外径と一致もしくは僅かに小さく設定し、前記五徳３は前記コンロ本体Ａの上方から装着され、前記支柱４の下部が前記鍔部１ａと接触して外側に広がりながら前記鍔部１ａの外周縁に嵌合すると共に、最下部の連結部材６ａが前記鍔部１ａの上面に載架し、前記支柱４の下部が鍔部１ａの外周縁に押し付けられて密着してコンロ本体Ａに固定され、かつ、前記支柱４は前記バーナ２より上方まで延ばされて前記載置部５が前記バーナ２の燃焼開口２ａの上方に配置されると共に、前記支柱４と前記連結部材６とが前記バーナ２の外方を囲むように配置されて保護ガードを兼用することを特徴とする。
【０００５】
また、前記五徳３は２本の支柱４の上端に接続する略Ｕ字状の線材で構成した連接部材５ａを設け、該連接部材５ａは前記支柱４から中心に向かって放射状に配置すると共に、支柱４側が高く中心側が低くなるように傾斜して前記載置部５を構成することで、部品点数が少なく安価に製造できる構造となった。
【０００６】
また、前記支柱４は前記油タンク１の鍔部１ａよりも高い位置で折り曲げられて、上部が下部よりも前記五徳３の中心側に位置する段部４ａを形成し、前記五徳３をコンロ本体Ａに装着したとき、前記段部４ａが油タンク１の上面に接触することにより、被加熱物Ｂの荷重を油タンク１の上面で支持することで支柱４の変形が起こりにくくなり強度が向上できた。
【０００７】
また、前記支柱４は前記油タンク１の鍔部１ａよりも低い位置で前記五徳３の中心側へ突出する係止突部４ｂを形成し、前記五徳３をコンロ本体Ａへ装着したとき、前記係止突部４ｂと最下部の連結部材６ａとの間に前記油タンク１の鍔部１ａが係合することにより、コンロ本体Ａと五徳３とが確実に係合して固定することができる。
【０００８】
また、前記支柱４の下端が床面に接触していることにより、コンロ本体Ａを支持する位置を従来より外側に位置させたことで転倒しにくくなり、安定するものである。
【発明の効果】
【０００９】
この発明は、線材で構成する複数本の支柱４をリング状の連結部材６で連結し、支柱４の上端に線材で構成する載置部５を設けて五徳３を構成し、五徳３は支柱４の下部が外側へ広がりながら油タンク１の鍔部１ａの外周縁に嵌合すると共に最下部の連結部材６ａが鍔部１ａの上に載置してコンロ本体Ａに装着されるものであり、このとき、支柱４が鍔部１ａの外周縁に押し付けられるので、五徳３が確実に固定できるものである。そして、この構成では、五徳３を構成する載置部５と支柱４と連結部材６がバーナ２の上方と外方を囲むように配置されるので、五徳３がコンロ本体Ａの保護ガードを兼用できるものとなった。
更に、この発明の五徳３は使用する材料が線材だけであり、線材の組み合わせによる簡単な構造で実現ができるから、部品点数や組み付け工程数も少なくなり、製造コストを大幅に低減することができ、低価格のコンロを提供できるものとなった。
【００１０】
また、２本の支柱４の上端に略Ｕ字状の線材で構成した連接部材５ａを接続し、この連接部材５ａは支柱４から中心に向けて放射状に配置しており、支柱４側が高く中心側が低くなるように傾斜して載置部５を構成しており、載置部５に載せた被加熱物Ｂは中心側が低く外側が高く傾斜した複数個の連接部材５ａによって支持されるので、被加熱物Ｂの移動を規制して安定して支持することができるものである。
【００１１】
また、支柱４は油タンク１の鍔部１ａより高い位置で折り曲げて、上部が下部よりも五徳３の中心側に位置するように段部４ａを形成したので、支柱４のたわみが発生しにくくなり強度が向上できた。そして、五徳３をコンロ本体Ａに装着したときは支柱４の段部４ａが油タンク１の上面に接触し、被加熱物Ｂを載置部５に載せたときに被加熱物Ｂの荷重を油タンク１の上面で支持するので、支柱４の変形が阻止されて五徳３が形状を維持でき、確実に被加熱物Ｂを支持することができるものとなった。
【００１２】
また、支柱４には油タンク１の鍔部１ａより低い位置で五徳３の中心側に突出する係止突部４ｂを形成しており、五徳３をコンロ本体Ａに装着したときに、最下部の連結部材６ａと係止突部４ｂとの間に油タンク１の鍔部１ａが係合することで、五徳３とコンロ本体Ａとを確実に固定することができる。
【００１３】
そして、五徳３の支柱４の下端が床面に届いてコンロ本体Ａを支持する構成としたので、従来のように置台等を用いなくてもコンロ本体Ａを安定した状態で設置することができ、転倒の心配が無く使用できるものとなった。
【図面の簡単な説明】
【００１４】
【図１】この発明の実施例の五徳を装着したコンロの側面図である。
【図２】この発明の実施例の五徳を装着したコンロの上面図である。
【図３】この発明の他の実施例を示す五徳を装着したコンロの側面図である。
【図４】図１に示す実施例の五徳の斜視図である。
【図５】従来例を示すコンロの正面図である。
【発明を実施するための形態】
【００１５】
図に示す石油コンロの実施例によってこの発明を説明すると、Ａはコンロ本体、１はコンロ本体Ａの下部に備えた燃料を蓄える油タンク、２は油タンク１の上部に配置されたバーナであり、コンロ本体Ａは下部に備えた油タンク１からバーナ２に燃料が供給されてバーナ２で燃焼を行い、バーナ２では燃焼炎と高温の燃焼ガスが発生する。７は油タンク１の底板に取り付けた脚部材であり、脚部材７によってコンロ本体Ａを床面から立たせることができる。
【００１６】
２ａはバーナ２の上部に開口する燃焼開口、３はバーナ２の燃焼開口２ａの上方に配置した五徳、Ｂは五徳３の上に載置される鍋等の被加熱物であり、バーナ２で発生した燃焼炎と高温ガスがバーナ２の燃焼開口２ａから上昇して五徳３に載置した被加熱物Ｂを加熱する。
【００１７】
従来例を示す図５において、８はコンロ本体Ａを収納する有底筒状の枠体、９は枠体８の上部に載架する天板であり、天板９はバーナ２の燃焼開口２ａの上方が開口している。１０は天板９の開口の周囲に放射状に配置した複数個の爪であり、天板９と爪１０によって五徳を構成し、天板９の開口の上に配置した被加熱物Ｂはこの爪１０によって支持される。
【００１８】
ところで最近では、海外で生産された低価格の商品が市場に多く出回っており、コンロの市場においても低価格の商品の要望が高まってきている。このような商品の低価格化の要求に応えるために製造コストの低減を図る必要があるが、図５のような従来の構造のままでは、大幅なコストの低減は非常に難しく、市場で要求される価格まで下げることは困難であるため、大幅な構造の見直しが必要となってきている。
【００１９】
この発明は市場の低価格の要求に対応するため、製造コストの低減を実現した構造のコンロを提案するものであり、４は金属製の線材で構成する複数本の支柱、６は複数本の支柱４を連結するための金属製の線材で構成するリング状の連結部材であり、縦方向に延びる支柱４と横方向に延びるリング状の連結部材６とは交差させて溶接などで固着しており、複数本の支柱４はリング状の連結部材６の外周縁に沿って所定の間隔をあけて円周上に配置され、複数個の連結部材６は支柱４に沿って所定の間隔をあけて上下に配置されている。
５は支柱４の上端に設けた載置部であり、載置部５は支柱４の上端から連続する線材で構成され、リング状の連結部材６に沿って円周上に配置された支柱４から連結部材６の中心に向かって放射状に配置されており、支柱４と載置部５と連結部材６とが一体に構成されて五徳３を形成している。
【００２０】
１ａは油タンク１の側面に形成した油タンク１の外径を大きくする鍔部であり、油タンク１の上面板と側板との接合部で形成している。６ａは五徳３の最下部に位置する連結部材であり、鍔部１ａの外径と最下部の連結部材６ａの外径とを略一致させるか、最下部の連結部材６ａの外径を鍔部１ａの外径よりも僅かに小さく設定している。
【００２１】
この構成であれば、五徳３をコンロ本体Ａに取り付けるときは、五徳３をコンロ本体Ａの上方から被せるようにして取り付けるが、このとき支柱４が油タンク１の鍔部１ａと接触して外側に広がりながら鍔部１ａの外周縁に嵌合し、更に五徳３を下方に押し下げていくと、最下部の連結部材６ａが鍔部１ａの上面に接触するから、五徳３の移動が止められて五徳３の位置が決定してコンロ本体Ａに装着される。
そして、油タンク１の鍔部１ａの外周縁に嵌合して外側に広げられた支柱４の下部には元の状態に戻ろうとする力が働いており、支柱４の下部が鍔部１ａの外周縁に押し付けられて密着するので、五徳３はガタツクことなく確実にコンロ本体Ａに固定できるから、被加熱物Ｂを載せたときにも安定して支持することができるものである。
【００２２】
また、この発明の五徳３はコンロ本体Ａよりも背が高くなるように設定したものであり、コンロ本体Ａに装着された五徳３は、支柱４の上端がバーナ２の燃焼開口２ａよりも高く位置しており、支柱４の上端に設けた載置部５がバーナ２の燃焼開口２ａの上方に配置されている。このため、支柱４と連結部材６とがコンロ本体Ａのバーナ２の外側を囲むように配置されるので、五徳３は五徳機能の他にコンロ本体Ａの保護ガードとしても機能するものとなり、コンロの五徳機能と保護ガードの機能とを兼用することができるものとなった。
【００２３】
この発明の構成であれば、従来のコンロのような枠体や天板が不要となり、五徳３は同じ種類の金属線材を組み合わせて構成できるから、部品点数や使用する材料の種類や量を大幅に減らすことができ、部品管理が容易になると共に組み付け工程数も減らすことができ、製造コストの大幅な低減が実現して、低価格化が進んだ市場に対応できる商品を提供できるものとなった。
【００２４】
５ａは２本の支柱４の上端に接続する略Ｕ字状の連接部材であり、実施例では１本の金属線材をＵ字状に形成し、更にそのＵ字状の線材を折り曲げて略Ｌ字状に形成することで２本の支柱４と略Ｕ字状の連接部材５ａとを一体に形成している。このため、製造工程では１本の線材を管理すればよく、部品管理が容易になる。
そして、連接部材５ａのＵ字状の曲げ部分が五徳３の中心を向くようにして支柱４を連結部材６の外周に配置すると、連接部材５ａがバーナ２の燃焼開口２ａの上方に放射状に配置されて載置部５が構成できる。６ｂは複数の連接部材５ａと連結する最上部の連結部材であり、この最上部の連結部材６ｂは支柱４と交差する他の連結部材６より外径寸法を小さく設定し、連接部材５ａの折り曲げ部と支柱４との中間付近で連接部材５ａと交差して溶接などで固着しており、連結部材６ｂによって連接部材５ａを補強して載置部５の強度を確保している。
【００２５】
また、連接部材５ａは支柱４側が高く、折り曲げ部側が低くなるように傾斜させ、載置部５は外側が高く、中心側が低くなるように構成したから、被加熱物Ｂの横方向への移動が規制できると共に、底面が半球状になった被加熱物Ｂでも安定して支持できるものとなった。
なお、この発明の実施例では連接部材５ａを略Ｕ字状に形成しているが、加工が容易で被加熱物Ｂを安定して支持できる形状であればＵ字状に限定する必要はないので、コ字状やＶ字状などの他の形状で形成してもよい。
【００２６】
図１に示すこの発明の実施例において、４ａは支柱４の下部をクランク状に折り曲げて形成した段部であり、支柱４は段部４ａよりも上部が下部よりも五徳３の中心側に位置している。支柱４は段部４ａによって上部と下部に分かれて、支柱４の直線部分を短く設定できるから、支柱４に撓みが発生しにくくなり、強度を向上することができる。
【００２７】
さらに、支柱４の段部４ａの水平部分の高さをコンロ本体Ａの油タンク１の上面の高さと略一致するように構成し、五徳３をコンロ本体Ａに装着したときに、最下部の連結部材６ａが油タンク１の鍔部１ａの上面に接触すると共に、支柱４の段部４ａの水平部分が油タンク１の上面に接触するようにしたから、被加熱物Ｂを載置部５に載せたときに支柱４の上部が油タンク１の上面で支持されて被加熱物Ｂの荷重を支えるから、支柱４の下方への移動が阻止され、五徳３が変形することなく形状を維持できるので、五徳３は安定して被加熱物Ｂを支持できるものとなった。
【００２８】
図３に示すこの発明の他の実施例において、４ｂは支柱４を凸状に折り曲げて形成した係止突部であり、係止突部４ｂは最下部の連結部材６ａより低い位置で五徳３の中心側に向けて突出して形成しており、この係止突部４ｂの先端は五徳３をコンロ本体Ａに装着したときに油タンク１の鍔部１ａの外周縁よりも内側に位置するように設定している。図に示す実施例では係止突部４ｂは線材を折り曲げて形成しているが、曲げ加工に限定されるものではなく、線材の一部分を潰して突起を形成してもよい。
【００２９】
図３において、五徳３をコンロ本体Ａの上方から被せると、支柱４の下部が油タンク１の鍔部１ａの外周縁に嵌合し、五徳３を下方に押し下げると係止突部４ｂが油タンク１の鍔部１ａに当たって五徳３の下方への移動が一旦阻止される。そして、この位置から更に五徳３を下方に押し下げると、支柱４の係止突部４ｂが外側へ広がりながら油タンク１の鍔部１ａを乗り越えて鍔部１ａの下面に移動し、油タンク１の鍔部１ａが最下部の連結部材６ａと係止突部４ｂとの間に嵌合する。
このとき、支柱４の下部が鍔部１ａの外周縁に押し付けられて密着するので、支柱４の係止突部４ｂが鍔部１ａを容易に乗り越えることはなく、五徳３がコンロ本体Ａから簡単に外れることはないから、五徳３をコンロ本体Ａに確実に固定することができる。
【００３０】
また、五徳３をコンロ本体Ａへ装着したときに支柱４の下端が床面に接触するように構成すれば、油タンク１の外周縁に沿って配置された複数本の支柱４が脚部材７の補助脚として機能してコンロ本体Ａを支持するから、コンロ本体Ａの安定性が増すものとなり、コンロ本体Ａが転倒する心配がなくなった。
また、図に示す実施例のように、支柱４の下端を外方へ向けて折り曲げることで、支柱４の下端と床面との接触面積を広くすることができるから、コンロ本体Ａの安定性を更に増すことができる。
【符号の説明】
【００３１】
Ａ    コンロ本体
Ｂ    被加熱物
１    油タンク
１ａ  鍔部
２    バーナ
２ａ  燃焼開口
３    五徳
４    支柱
４ａ  段部
４ｂ  係止突部
５    載置部
５ａ  連接部材
６    連結部材
６ａ  最下部の連結部材
【図１】
0005678579.tif 000002
【図２】
0005678579.tif 000003
【図３】
0005678579.tif 000004
【図４】
0005678579.tif 000005
【図５】
0005678579.tif 000006